(57)【要約】【課題】取付け作業が簡単で、ランプ交換をあまり必要とせずに長期使用が可能であり、光むらのないエレベータのかご内表示装置を提供する。【解決手段】ドアパネル１１の上部前面に設けられたかご幕板１４上に表示装置２１を設置する。この表示装置２１は、半透過性の表示盤２２および冷陰極蛍光ランプ２３を有する。表示盤２２は各階の案内表示などを行うためのものであり、冷陰極蛍光ランプ２３はこの表示盤２２を背面から照らす光源である。この冷陰極蛍光ランプ２３を用いることで、表示装置自体を薄型化でき、その取り付け作業を簡単化できる。また、冷陰極蛍光ランプ２３の特性により、ランプ寿命が飛躍的に延び、その交換回数を削減でき、さらに、光むらを抑えることができる。【選択図】　　図２
2004142934.tif 000002
【特許請求の範囲】
【請求項１】
かご室と、
このかご室内の特定の場所に設置された半透過性の表示盤と、
この表示盤の背面を照らす冷陰極蛍光ランプと
を具備したことを特徴とするエレベータのかご内表示装置。
【請求項２】
出入口にドアパネルを有し、そのドアパネルの上部前面にかご幕板が設けられたかご室と、
このかご室内の上記かご幕板に設置された半透過性の表示盤と、
この表示盤の背面を照らす冷陰極蛍光ランプと
を具備したことを特徴とするエレベータのかご内表示装置。
【請求項３】
上記冷陰極蛍光ランプと上記表示盤は一体化されて、上記かご幕板上に壁掛け式に取り付けられることを特徴とする請求項２記載のエレベータのかご内表示装置。
【請求項４】
上記かご幕板の表面と面一になるように上記表示盤が上記かご幕板上に設置され、上記かご幕板の内側から上記表示盤を照らすように上記冷陰極蛍光ランプが上記かご幕板の中に設置されていることを特徴とする請求項２記載のエレベータのかご内表示装置。
【発明の詳細な説明】
【０００１】
【発明の属する技術分野】
本発明は、エレベータのかご内において、各階の案内表示などを行う表示装置に関する。
【０００２】
【従来の技術】
図４を参照して従来のエレベータのかご内表示装置の構成について説明する。図４は従来のエレベータのかご内表示装置の構成を示す図であり、図４（ａ）はそのかご内表示装置の側面図、同図（ｂ）はそのかご内表示装置の正面図である。
【０００３】
かご室の出入口に設置されたドアパネル１１が支持部材１２によって開閉自在に支持されている。このドアパネル１１はボルト１３などによって支持部材１２に固定されており、かごの出入口を開放する開放位置とその出入口を閉じる閉塞位置との間を移動する。また、ドアパネル１１の上部前面には、ドアパネル１１と略同じ幅を有するかご幕板１４が設けられており、そのかご幕板１４に各階の案内表示などを行うための表示装置１５が取り付けられている。
【０００４】
この表示装置１５は、かご幕板１４に設けられたボックス１６と、このボックス１６内に設置された照明用の蛍光ランプ１７と、この蛍光ランプ１７によって照光される表示盤１８と、この表示盤１８を支持する支持部材１９とで構成される。表示盤１８は、半透明部材からなり、その表面上に各階の案内が表記されている。支持部材１９は、この表示盤１８をかご幕板１４にヒンジ機構２０を介して回動自在に支持している。
【０００５】
ボックス１６内に設置された蛍光ランプ１７が点灯すると、表示盤１８が背面から照らし出され、そこに表記された各階の案内が表示される。蛍光ランプ１７を交換する場合には、表示盤１８の支持部材１９をヒンジ機構２０を介して上側に引き上げることにより、かご室側からボックス１６に手を入れて蛍光ランプ１７を交換する。
【０００６】
ところで、この表示装置１５をかご幕板１４に設置する場合には、かご幕板１４の裏側にある目隠し板１４ａを開け、蛍光ランプ１７が取り付けられたボックス１６を挿入した後、ボルト等でかご幕板１４の内側に固定するといった作業が必要となる。この場合、かご幕板１４の裏側からの作業を容易とするため、ドアパネル１１の取り付け位置が通常よりも上方にずらしてあり、ドアパネル１１を空けたときにかご幕板１４の裏面が露出するように調整されている。
【０００７】
また、この表示装置１５の光源として用いられている蛍光ランプ１７は、家庭などで一般的に使われている熱陰極蛍光ランプである。この熱陰極蛍光ランプは、オン・オフを繰り返すたびに寿命が短くなる特性を有する。これは、蛍光ランプ始動時には過大電流が必要であり、この過電流によって陰極が損傷するからである。このため、蛍光ランプが切れたり、点滅し始めたりして交換が必要となってくるのである。通常、この熱陰極蛍光ランプの寿命は約６０００時間であり、１年に１〜２回の交換を必要とする。
【０００８】
ここで、蛍光ランプの交換時には、エレベータ全体を必ず停止させなければならない。このため、交換中はエレベータを利用できず、利用者に迷惑をかけることになる。また、その都度、保守員を派遣しなければならないため、部品交換代の他に保守費用もかかることになる。
【０００９】
また、従来から利用されている熱陰極蛍光ランプは線発光であるため、光むらが生じ易いといった問題もある。この光むらを防止するためには、蛍光ランプ１７と表示部１８との間隔を広く取れば良いが、装置が大型化してしまい、意匠性を損なうなどの問題がある。
【００１０】
なお、例えばパソコンなどでは、バックライト用の小型の蛍光ランプとして冷陰極蛍光ランプが知られている。しかし、このような冷陰極蛍光ランプをエレベータの照明、特にかご室内における各階の案内盤などに適用したものはない。
【００１１】
【発明が解決しようとする課題】
上述したように、従来のかご内表示装置は取付け作業が困難であり、また、光源として熱陰極蛍光ランプを使用していたため、寿命が短く、ランプ交換を頻繁に行う必要があり、メンテナンス費用がかさむなどの問題があった。さらに、熱陰極蛍光ランプの特性上、光むらが生じ易く、それを防止するために意匠性が損なわれてしまうなどの問題もあった。
【００１２】
本発明は上記のような点に鑑みなされたもので、取付け作業が簡単であり、また、ランプ交換をあまり必要とせずに長期使用が可能であり、さらに、光むらのないエレベータのかご内表示装置を提供することを目的とする。
【００１３】
【課題を解決するための手段】
本発明のエレベータのかご内表示装置は、かご室と、このかご室内の特定の場所に設置された半透過性の表示盤と、この表示盤の背面を照らす冷陰極蛍光ランプとを具備して構成される。
【００１４】
このような構成によれば、表示盤の背面を照らす光源として冷陰極蛍光ランプを用いることで、表示装置自体を薄型化でき、その取り付け作業を簡単化できる。また、冷陰極蛍光ランプの特性により、ランプ寿命が飛躍的に延び、その交換回数を削減できると共に、光むらを抑えることができる。
【００１５】
この表示装置は、かご室内におけるドアパネルの上部前面に設けられたかご幕板に設置される。この場合、上記冷陰極蛍光ランプと上記表示盤を一体化して、上記かご幕板上に壁掛け式に取り付けられる。あるいは、上記かご幕板の表面と面一になるように上記表示盤が上記かご幕板上に設置され、上記かご幕板の内側から上記表示盤を照らすように上記冷陰極蛍光ランプが上記かご幕板の中に設置される。
【００１６】
【発明の実施の形態】
以下、図面を参照して本発明の実施形態を説明する。
【００１７】
（第１の実施形態）
図１は本発明のかご内表示装置が適用されるエレベータのかご室の構成を示す斜視図である。
【００１８】
エレベータのかご室１は、出入口２と、かご床３と、幅木４と、側板５と、天板６とを有する。幅木４は、下面をかご床３に上面を側板５に固定される。側板５は、かご床３を囲むように四方に立設されて天板６に固定されると共に、隣接する側板５と固定される。天板６には、かご室１内を照らすための照明装置７が設置されている。出入口２は、エレベータ利用者がかご室１に出入りするための開口部であり、そこにドアパネル１１が開閉自在に設置されている。
【００１９】
このドアパネル１１の上部前面にかご幕板１４が設けられている。このかご幕板１４はドアパネル１１と略同じ幅を有し、そこに本発明の表示装置２１が設置されている。この表示装置２１は、各階の案内などを表示するものであって、かご室１内の乗客が視認可能なように、かご室１のドア側の上部に設置されるのが一般的である。
【００２０】
ここで、図２を用いて表示装置２１の構成について詳しく説明する。
【００２１】
図２は本発明の第１の実施形態としてのエレベータのかご内表示装置の構成を示す図であり、図２（ａ）はそのかご内表示装置の側面図、同図（ｂ）はそのかご内表示装置の正面図である。なお、ドアなどを含むかご室の構成については図４と同様であり、同一部分には同じ符号を付してある。
【００２２】
ドアパネル１１は、支持部材１２によって開閉自在に支持されている。このドアパネル１１はボルト１３などによって支持部材１２に固定されており、図１に示すかごの出入口２を開放する開放位置とその出入口２を閉じる閉塞位置との間を移動する。また、ドアパネル１１の上部前面には、ドアパネル１１と略同じ幅を有するかご幕板１４が設けられており、そのかご幕板１４に各階の案内表示などを行うための表示装置２１が取り付けられている。
【００２３】
この表示装置２１は、半透過性の表示盤２２と、冷陰極蛍光ランプ２３とを有する。表示盤２２には、各階の案内が表記されており、冷陰極蛍光ランプ２３の点灯により、その表記内容が視認可能な状態となる。冷陰極蛍光ランプ２３は、冷陰極管によって構成された蛍光ランプであって、ここでは表示盤２２の背面を照らす光源として用いられる。
【００２４】
この冷陰極蛍光ランプ２３は、１ｍｍ〜６ｍｍ程度の直径を有する透光性放電容器（不図示）と、この放電容器の両端に封止された一対の冷陰極（不図示）と、放電容器の内面に塗布された蛍光体（不図示）と、放電容器内に封入された放電媒体（不図示）とを少なくとも有している。冷陰極蛍光ランプ２３は、陰極が加熱されることなく発光するため、照明のオン・オフの回数によって寿命が左右されることがなく、単に発光時間に起因するといった特性を有している。また、冷陰極蛍光ランプ２３は、高電圧を印可すると即点灯し、発光までの時間的遅れがないことも特徴である。
【００２５】
第１の実施形態では、図２（ｂ）に示すように、表示盤２２の裏側に複数本の直管型の冷陰極蛍光ランプ２３が縦方向に等間隔に配置されている。また、表示盤２２と冷陰極蛍光ランプ２３は、それぞれ箱状の筐体２４に収納されて一体化されている。この筐体２４の前面にはかご幕板１４の幅方向に沿って延びる細長の開口部２４ａが形成されており、その開口部２４ａを覆うように長方形状の表示盤２２が筐体２４の内側からボルト等にて固定されている。冷陰極蛍光ランプ２３は、この表示盤２２の裏面に対向させて筐体２４の裏面内側に支持部材２５を介して等間隔で複数本取り付けられている。
【００２６】
この表示装置２１をかご幕板１４に設置する場合には、筐体２４をかご幕板１４の表面上に壁掛け式に取り付け、ネジ等で固定すれば良い。この筐体２４内に収納された冷陰極蛍光ランプ２３が点灯すると、表示盤２２が背面から照らし出され、そこに表記された各階の案内が表示される。
【００２７】
このように、表示装置２１の光源として用いられる冷陰極蛍光ランプ２３を表示盤２２と共に筐体２４の中に収納して一体化構造にすることで、表示装置２１をかご幕板１４に対して壁掛け式で簡単に取り付けることができる。したがって、従来のようなボックスや、ヒンジ機構が不要となり、コストダウンを図れる。また、かご室１側から表示装置２１を取り付けることになるため、従来のようにドアパネル１１を上方向にずらしておく必要がなくなり、ドア機種の統一化を図ることができる。
【００２８】
また、この表示装置２１では、表示盤２２と冷陰極蛍光ランプ２３の一体化により密封構造になっているので、その内部に埃や虫が入り込むことがない。よって、定期的な清掃を必要とせず、かご室内の清潔性を保つことができると共に、埃や虫の付着による照度低下を防ぐことができる。
【００２９】
さらに、この表示装置２１の光源として冷陰極蛍光ランプ２３を用いたことで、以下のような利点がある。
【００３０】
すなわち、冷陰極蛍光ランプ２３は陰極の断線等の問題が生じないので、ランプ寿命が非常に長い。例えば、一般的に使われている熱陰極蛍光ランプの寿命は約６，０００時間であるのに対し、冷陰極蛍光ランプ２３の寿命は約５０，０００時間であり、熱陰極蛍光ランプの約１０倍である。したがって、冷陰極蛍光ランプ２３を用いることで、交換回数を格段に減らすことができる。冷陰極蛍光ランプ２３を常時点灯していたとして、５０，０００／２４／３６５＝５．７年もつことになる。この場合、天井照明に同期して冷陰極蛍光ランプ２３を点灯すれば、常時点灯はしないので、ランプ交換に伴うメンテナンス費用を最小限に抑えることができる。
【００３１】
また、熱陰極蛍光ランプはオン・オフを繰り返すと寿命が急速に短くなる特性を有している。これは、ランプ始動時に過大電流が流れ陰極を破損するからである。一方、本実施形態のように冷陰極蛍光ランプ２３を使用すると、ランプのオン・オフによる寿命の短縮という特性は現れない。
【００３２】
また、冷陰極蛍光ランプ２３の直径は１ｍｍ〜６ｍｍ程度と非常に小さいので、筐体２４の中にコンパクトに収めることができる。これにより、装置の薄型化を実現でき、その取り付け作業を簡単化できる。
【００３３】
また、冷陰極蛍光ランプ２３は低電圧（ＤＣ１０〜２４Ｖ）で駆動できるため、消電力化を図ることもできる。
【００３４】
また、冷陰極蛍光ランプ２３の設置条件（距離等）を適宜設定でき、また、面発光であるため、表示盤２２との間隔を広くとらなくとも光むらを抑制することができる。
【００３５】
（第２の実施形態）
次に、本発明の第２の実施形態について説明する。
【００３６】
図３は本発明の第２の実施形態としてのエレベータのかご内表示装置の構成を示す図であり、図３（ａ）はそのかご内表示装置の側面図、同図（ｂ）はそのかご内表示装置の正面図である。なお、ドアなどを含むかご室の構成については図４と同様であり、同一部分には同じ符号を付してある。
【００３７】
上記第１の実施形態と同様に、ドアパネル１１の上部前面にかご幕板１４が設けられており、そのかご幕板１４上に本発明の表示装置３１が設置されている。この表示装置３１は、半透過性の表示盤３２と、冷陰極蛍光ランプ３３とを有する。表示盤３２には各階の案内が表記されており、冷陰極蛍光ランプ３３の点灯により、その表記内容が視認可能な状態となる。冷陰極蛍光ランプ３３は、冷陰極管によって構成された蛍光ランプであって、ここでは表示盤２２の背面を照らす光源として用いられる。
【００３８】
ここで、第２の実施形態では、表示盤３２と冷陰極蛍光ランプ３３がボックス３４に固定されており、そのボックス３４をかご幕板１４の裏側から目隠し板１４ａを開けて設置するようになっている。かご幕板１４の表面上には、かご幕板１４の幅方向に延びる細長の取り付け穴１４ｂが形成されており、ボックス３４をかご幕板１４の内側に取り付けた際に、そのボックス３４の前面に取り付けられた表示盤３２が上記取り付け穴１４ｂから露出してかご幕板１４の表面と面一構造になる。
【００３９】
冷陰極蛍光ランプ３３は、かご幕板１４の内側から表示盤３２を照らすように、支持部材３５を介してボックス３４に取り付けられている。ここでは、図３（ｂ）に示すように、複数本の冷陰極蛍光ランプ３３が縦方向に等間隔で配置されている。ボックス３４はかご幕板１４の内側にネジ等にて固定される。このボックス３４に取り付けられた冷陰極蛍光ランプ３３が点灯すると、表示盤３２が背面から照らし出され、そこに表記された各階の案内が表示される。
【００４０】
このように、第２の実施形態によれば、かご幕板１４の内側に表示盤３２を設置してかご幕板１４の表面と面一構造としたことで、かご幕板１４上に設置された表示装置３１の圧迫感をなくすことができ、見た目にもすっきりして意匠性も向上する。この場合、かご幕板１４の中にボックス３４を設置する必要があるが、冷陰極蛍光ランプ３３の直径は１ｍｍ〜６ｍｍ程度と非常に小さいので、ボックス３４の中にコンパクトに収めることができる。よって、ボックス３４のサイズを大きくしなくとも対応でき、かご幕板１４の厚みもそれ程必要としないため、意匠性を損なうことはない。
【００４１】
また、光源として冷陰極蛍光ランプ３３を用いているため、上記第１の実施形態と同様に、ランプ寿命を延ばすことができ、これにより、ランプ交換の回数を大幅に削減してメンテナンス費用を抑えることができる。また、表示盤３２との間隔を広くとらなくとも、光むらを抑制することができるなどの利点がある。
【００４２】
なお、本発明は上記実施の形態には限定されず、種々変形して実施できることは言うまでもない。例えば、冷陰極蛍光ランプの本数は、所望の照度を得ることが出来れば何本であっても構わないし、その配置も縦向きに限るものではなく、横向きや斜めに向けて配置することでも良い。さらに、冷陰極蛍光ランプの形状についても直管型に限らず、蛇行型であっても良い。
【００４３】
また、表示盤についても、例えば液晶パネルなどを用いて、その表示内容を可変とするものであっても良い。要は、何らかの情報を表示するための表示盤を背面から冷陰極蛍光ランプにて照らす構成であれば良い。
【００４４】
また、このようなかご内表示装置の設置場所は、かご室内におけるドアパネルの上部前面のかご幕板に限らず、かご室内の側板部分であっても良い。
【００４５】
【発明の効果】
以上詳記したように本発明によれば、光源として冷陰極蛍光ランプを用い、この冷陰極蛍光ランプにより各階の階床表示などを行うための表示盤を背面から照らす構成としたことで、表示装置自体を薄型化でき、その取り付け作業を簡単化できる。また、冷陰極蛍光ランプの特性により、ランプ寿命が飛躍的に延び、その交換回数を削減でき、さらに、光むらを抑えることができる。
【図面の簡単な説明】
【図１】本発明のかご内表示装置が適用されるエレベータのかご室の構成を示す斜視図。
【図２】本発明の第１の実施形態としてのエレベータのかご内表示装置の構成を示す図であり、図２（ａ）はそのかご内表示装置の側面図、同図（ｂ）はそのかご内表示装置の正面図。
【図３】本発明の第２の実施形態としてのエレベータのかご内表示装置の構成を示す図であり、図３（ａ）はそのかご内表示装置の側面図、同図（ｂ）はそのかご内表示装置の正面図。
【図４】従来のエレベータのかご内表示装置の構成を示す図であり、図４（ａ）はそのかご内表示装置の側面図、同図（ｂ）はそのかご内表示装置の正面図。
【符号の説明】
１…かご室
２…出入口
１１…ドアパネル
１２…支持部材
１３…ボルト
１４…かご幕板
１４ａ…目隠し板
１４ｂ…取り付け穴
２１…表示装置
２２…表示盤
２３…冷陰極蛍光ランプ
２４…筐体
２４ａ…開口部
２５…支持部材
３１…表示装置
３２…表示盤
３３…冷陰極蛍光ランプ
３４…ボックス
３５…支持部材
【図１】
2004142934.tif 000003
【図２】
2004142934.tif 000004
【図３】
2004142934.tif 000005
【図４】
2004142934.tif 000006